(57)【要約】【課題】付勢部材を用いずにカバー部材を開口部の開放位置まで確実にスライドさせる。【解決手段】機器本体に設けられた開口部４１を開閉するカバー４４と、カバーをスライド自在に支持する支持部４６とを備え、開口部４１内には、開口部４１を開放する開放位置にスライドされたカバー４４の下方に、該カバー４４の開閉操作用のスペース６６が設けられている。【選択図】図８
2009162890.tif 000002
【特許請求の範囲】
【請求項１】
機器本体に設けられた開口部を開閉するカバーと、
上記カバーをスライド自在に支持する支持部とを備え、
上記開口部内には、上記開口部を開放する開放位置にスライドされた上記カバーの下方に、該カバーの開閉操作用のスペースが設けられていることを特徴とする電子機器。
【請求項２】
上記スペースは、上記カバーの上記開口部を開放する開放方向の下流側に設けられた、上記開口部より外方に臨む凹部であることを特徴とする請求項１記載の電子機器。
【請求項３】
上記カバーを、上記開口部を閉塞する閉塞位置及び／又は上記開口部を開放する開放位置に保持するロック機構を備える請求項１記載の電子機器。
【請求項４】
上記開口部内には、外部機器が着脱される接続部が設けられていることを特徴とする請求項１記載の電子機器。
【請求項５】
上記カバーは、上記開口部を閉塞する閉塞位置において上記機器本体と略面一とされ、上記開口部を開放する開放位置に向かって、該機器本体の内側に沈み込みながらスライドされることを特徴とする請求項１記載の電子機器。
【発明の詳細な説明】
【技術分野】
【０００１】
本発明は、開口部と開口部を開閉するカバーを備えた電子機器に関し、特にカバーの開閉を容易に行うことができる電子機器に関する。
【背景技術】
【０００２】
デジタルカメラやビデオカメラ等の撮像装置や、携帯電話、携帯型オーディオ、携帯型ゲーム機等の各種電子機器では、外部機器との接続部が設けられ、機能の拡張が図られている。例えば、撮像装置では、マイクやストロボ等のアクセサリーを接続するアクセサリシューや、撮像データをモニタやパソコン等へ外部出力する外部出力端子が設けられている。また携帯電話にはイヤホンジャックやマイクジャックとの接続端子が、携帯型ゲームにはゲーム画面をモニタ等に出力する外部出力端子やテレビチューナーやＧＰＳレシーバ等の接続端子が設けられたものも提供されている。
【０００３】
また、各種電子機器には、電源アダプタや充電スタンドとの接続端子、バッテリパックやメモリカード、各種アプリケーションや映像、画像等が記録された記録媒体の収納部が設けられている。
【０００４】
そして、電子機器には、これら各種接続部や収納部が、電子機器の外筐体に設けられた開口凹部より外方に臨まされるとともに、当該凹部がカバー部材によって閉塞されることにより、金属製品との接触や塵埃の侵入を防止するものがある。
【０００５】
カバー部材は、例えば開口凹部に嵌合可能な形状に成型されたエラストマー等の弾性片が用いられ、該弾性片より延設された支持片を介して開口凹部近傍に取り付けられる。そして、弾性片は、接続部等の不使用時には開口凹部内に圧入され、使用時に開口凹部より外される。
【０００６】
また、カバー部材として、開口凹部を開閉するスライドカバーを用いることもできる。スライドカバーは、開口凹部に応じて例えば矩形状に形成され、電子機器の外筐体にスライド自在に支持されている。そしてスライドカバーは、接続部等の不使用時には開口凹部を閉塞する一方向へスライドされ、使用時には開口凹部を開放する他方向へスライドされる。また、この種のスライドカバーには、スライド方向に付勢するトグルバネが設けられ、ユーザによって一方へスライドされると、当該スライド方向へスライドされるとともに、開口凹部の開放端又は閉塞端に付勢される。
【０００７】
【特許文献１】特開２００６−３３７６６５号公報
【発明の開示】
【発明が解決しようとする課題】
【０００８】
かかる開口凹部の開閉を行うカバー部材として弾性片を用いた場合、弾性片の圧入や除去といった工程が煩雑となり、また、開口凹部の開放時にも弾性片が近傍に支持されており、外部機器等の着脱に際して邪魔になる。
【０００９】
また、カバー部材としてスライドレバーを用いた場合、開放方向へスライドさせる際に、途中から開口凹部内にユーザの指先を差し入れてスライドさせようとすると、指先が開口凹部内壁に当接して、開放端までスライドカバーをスライドさせることができなくなる。
【００１０】
また、一般にスライドカバーは、上面にスライド操作時にユーザの指先を係止させる突起が設けられており、当該突起を高くすれば容易に開放端までスライドさせることも可能となるが、一方で、突起の衝突により不用意にスライドカバーが開閉される危険も増し、また外筐体表面に凹凸ができることで外観デザインを損なうため、低く形成せざるを得ず、開放途中からは指先でスライドカバー先端面が押されてスライドされることも多い。
【００１１】
また、トグルバネを用いてスライドカバーをスライド方向に付勢するためには、トグルバネの回動領域を確保する必要があり、電子機器の小型化を図ることができず、また、部品点数及び組み立て工数の削減といった見地から採用できないこともある。
【００１２】
そこで、本発明は、カバーによって開口部の開閉が行われる電子機器において、トグルバネ等の付勢部材を用いることなく、かつ開口部の開放位置まで容易にスライドさせることができる電子機器を提供することを目的とする。
【課題を解決するための手段】
【００１３】
上述した課題を解決するために、本発明に係る電子機器は、機器本体に設けられた開口部を開閉するカバーと、上記カバーをスライド自在に支持する支持部とを備え、上記開口部内には、上記開口部を開放する開放位置にスライドされた上記カバーの下方に、該カバーの開閉操作用のスペースが設けられている。
【発明の効果】
【００１４】
本発明に係る電子機器によれば、開口部を開放する開放端にスライドされたカバーの下方に開閉操作用のスペースを設けているため、カバーをスライド方向へ付勢する付勢手段を用いることなくユーザがカバーを開放位置まで押圧することができる。
【発明を実施するための最良の形態】
【００１５】
以下、本発明をビデオカメラに適用した場合について、図面を参照しながら詳細に説明する。本発明が適用されたビデオカメラ１は、図１〜図３に示すように、片手で把持して操作可能なビデオカメラであり、機器本体２と、機器本体２に回動可能に連結された表示パネル３とを備える。ビデオカメラ１は、主記録媒体として例えば機器本体２に内蔵されたハードディスクが用いられ、撮像レンズを介して取り込まれた光学的な画像をＣＣＤやＣＭＯＳ等の撮像素子で電気的な信号に変換した後、ハードディスクに対して記録及び／又は再生するとともに表示パネル３に表示できるようにし、また内蔵マイクを介して取り込まれた音声をＡＤ／ＤＡコンバータで音声信号に変換し、ハードディスクに対して記録及び／又は再生するとともに内蔵スピーカから出力できるようにしたものである。
【００１６】
機器本体２は、前面２ａに撮像レンズ１０が形成され、右側面２ｂにハードディスクが内蔵されるとともにユーザによって把持される把持部１１が形成されている。把持部１１は、側面にユーザの手を固定するグリップベルト１２が形成され、背面及び上面には、動画撮影に用いるスタート／ストップボタン１３、静止画撮影に用いるレリーズボタン１４、ズームレバー１５が設けられる他、動作状況を表示する各種表示部１６、アダプタジャック１７等が設けられている。
【００１７】
また機器本体２は、背面２ｃにバッテリパック２１が装着されるバッテリ装着部２０が形成されている。バッテリ装着部２０は、バッテリパック２１を保持する図示しない係合保持部が形成され、機器本体２の下面側からバッテリパック２１が上面側へスライドされることにより、バッテリパック２１を保持する。これにより機器本体２は、バッテリ装着部２０の上部に設けられた端子部とバッテリパック２１の上面に設けられたバッテリ端子とが接続され、駆動電源が供給される。
【００１８】
機器本体２の左側面２ｄには、表示パネル３が支持されている。表示パネル３は、機器本体２の左側面２ｄの前側において、ヒンジ機構２５を介して接続されている。ヒンジ機構２５は、機器本体２の上下方向に亘って設けられる第１の回動軸と、機器本体２の左右方向に亘って設けられる第２の回動軸とを有し、表示パネル３を互いに直交する図２中矢印Ａ方向及び矢印Ｂ方向へ回動可能に支持している。
【００１９】
表示パネル３は、図２に示すように、例えばタッチパネルが重畳された液晶表示パネルが用いられ、画像を表示する表示部となると共に、操作パネルとしても機能する。具体的に、表示パネル３は、機器本体２の左側面２ｄ側に回動されることにより機器本体２の外筐体の一部をなすパネル筐体３０と、パネル筐体３０内に配設された液晶モジュール及び液晶モジュールに重畳されるタッチパネルとが一体化された入力表示モジュール３３とを有する。
【００２０】
パネル筐体３０は、入力表示モジュール３３を外方に臨ませるパネルフレーム３０ａと、機器本体２の外側面を構成する外カバー３０ｂとが突き合わせ結合されている。パネルフレーム３０ａは、略矩形状に開口された窓部３５を有し、この窓部３５より入力表示モジュール３３を外方に臨ませている。
【００２１】
入力表示モジュール３３は、液晶パネル及びバックライトを備える液晶モジュールに、タッチパネルが重畳されることにより形成される。なお、入力表示モジュール３３は、液晶パネルの他にも、有機ＥＬ（Electroluminescence）パネルその他の平面モニタを用いることもできる。また、入力表示モジュール３３は、タッチパネルとして、相対向する面にそれぞれ透明電極が設けられた２枚のフィルム基板を備えた抵抗膜式タッチパネルを用いることができるが、これ以外にも静電容量式や超音波式等の各種のタッチパネルを用いることもできる。
【００２２】
機器本体２の上面２ｅには、図３に示すように、前面２ａ側から背面２ｃ側にかけて、マイク部３８、アクセサリシュー３９、メモリカードスロット４０が形成されている。アクセサリシュー３９は、機器本体２の上面２ｅにシュー開口部４１が形成されると共に、このシュー開口部４１内に設けられたシューアダプタ４２と、シュー開口部４１を開閉するスライドカバー４４とを有する。そして、アクセサリシュー３９は、スライドカバー４４がユーザによってスライド操作され、シュー開口部４１が開放されることにより、内部に設けられたシューアダプタ４２を外方に臨ませる。また、アクセサリシュー３９は、シューアダプタ４２の不使用時には、スライドカバー４４がユーザによってスライド操作され、シュー開口部４１が閉塞されることにより、内部に塵埃等が進入することを防止するとともに、シューアダプタ４２が金属部品と接触することによる短絡や破損を防止する。
【００２３】
図４及び図５に示すように、アクセサリシュー３９は、機器本体２の上面２ｅを構成する上面板４５と、スライドカバー４４をスライド自在に保持するスライドベース４６とが結合されることにより形成される。
【００２４】
上面板４５は、略矩形状に形成され、機器本体２の上面２ｅに嵌合されることにより機器外装の一部を構成するものである。上面板４５は、機器本体２の前面２ａ側に向けられる一端４５ａに、内蔵マイクが収納されるマイク収納部５０が形成されている。マイク収納部５０は、上面板４５とスライドベース４６とが結合されることにより、図示しない内蔵マイクが収納される収納スペースが形成される。
【００２５】
また、上面板４５は、機器本体２ａの背面２ｃ側に向けられる他端４５ｂに、メモリカードスロット４０を外方に臨ませるスロット開口部５１が形成されている。スロット開口部５１は、装置本体２の上面２ｅにスライド自在に支持されたスロットカバー４７（図１〜図３参照）によって開閉される。なお、スロットカバー４７は、図示しないトグルバネによってスロット開口部５１を開閉するスライド方向へ付勢されており、ユーザによって上面板４５から背面２ｃ方向へスライドされることによりスロット開口部５１を開放し、また前面２ａ方向へスライドされることによりスロット開口部５１を閉塞する。また、メモリカードスロット４０に装着されるメモリカードは、動画や静止画等のデータが記録されるリムーバブルの補助記録媒体として用いられる。
【００２６】
また上面板４５は、図６に示すように、裏面側に、スライドカバー４４のスライド方向に沿って、スライドカバー４４に設けられたロック板金６２の係合凸部６３が摺動する摺動壁５２が立設されている。摺動壁５２は、スライドカバー４４がシュー開口部４１を閉塞する閉塞位置（図１、図６（ａ））及びシュー開口部４１を開放する開放位置（図３、図６（ｂ））にスライドされたときに、ロック板金６２の係合凸部６３がそれぞれ係合する係合溝５３が形成されている。係合溝５３は、ロック板金６２の係合凸部６３が係合することにより、スライドカバー４４の移動を規制する。また係合溝５３は、係合凸部６３が係合することにより、スライドカバー４４をスライド操作するユーザに対してクリック感を付与し、スライドカバー４４が開放位置あるいは閉塞位置までスライドされたことを感知させることができる。
【００２７】
上面板４５に形成されたシュー開口部４１を開閉するスライドカバー４４は、シュー開口部４１と略同一の大きさを有し、閉塞時には機器本体２の上面２ｅの一部を構成するカバー部５５と、スライドカバー４４のスライド方向に立設された一対の側壁５６，５６とを有する。
【００２８】
カバー部５５は、機器本体２の前面２ａ側に向けられる一端に、スライド操作を行う際にユーザの指先等が係止される突起部５７が形成されている。また、カバー部５５は、機器本体２の背面２ｃ側に向けられる他端に、上面板４５の裏面側に傾斜する傾斜面部５８が形成されている。図７（ａ）及び図８（ａ）に示すように、傾斜面部５８は、スライドカバー４４がシュー開口部４１を閉塞する閉塞位置に保持されているとき、シュー開口部４１と上面板４５との境界付近に形成されることにより、スライドカバー４４とシュー開口部４１の開口縁部との当接を回避し、上面板４５の裏面へのスムーズなスライドが可能となる。また、図８に示すように、傾斜面部５８の先には、スリット５９が形成されている。スリット５９は、シュー開口部４１と上面板４５との境界に設けられた傾斜面部５８と上面板４５との隙間から水滴等が浸入した場合の受けとなり、機器本体２内への水滴の浸入を防止する。
【００２９】
側壁５６，５６は、スライド方向の前後に亘って、スライドベース４６に形成されたガイド溝６７，６８と係合する一対のガイド凸部６０，６１がそれぞれ形成されている。ガイド凸部６０，６１は、側壁５６，５６の相対向する内面に突設されており、スライドベース４６のガイド溝６７，６８に係合されている（図７）。これにより、スライドカバー４４は、ガイド溝６７，６８に沿って、シュー開口部４１を閉塞する閉塞位置（図７（ａ））と開放する開放位置（図７（ｂ））との間をスライド可能となる。
【００３０】
また、側壁５６，５６のうち、上面板４５の摺動壁５２と対峙する方の側壁５６には、スライドカバー４４のスライドを規制するロック板金６２が取り付けられている。ロック板金６２は、長尺状の板金からなり、先端に摺動壁５２に形成された係合溝５３と係合する係合凸部６３が形成されている。このロック板金６２は、基端部が側壁５６に支持されるとともに、係合凸部６３が形成された先端部が側方に張り出すように傾斜されている。したがって、ロック板金６２は、スライドカバー４４がスライドベース４６に支持されることにより上面板４５の摺動壁５２側に付勢され、係合凸部６３が上面板４５の摺動壁５２に当接し、スライドカバー４４のスライドにより摺動壁５２に摺動して、係合溝５３と係合される。スライドカバー４４は、係合凸部６３が係合溝５３に係合することにより、ロック板金６２の付勢力によってスライドが規制され、シュー開口部４１の開放位置あるいは閉塞位置に保持される。
【００３１】
かかるスライドカバー４４をスライド自在に支持するスライドベース４６は、略矩形状に形成され、長手方向を機器本体２の前後方向に向けて上面２ｅ側に配設されている。また、スライドベース４６は、機器本体２の前面２ａ側に向けられる前部に、上面板４５のマイク収納部５０と対峙されるマイク載置部６４が形成されている。このスライドベース４６は、スライドカバー４４が開放されると上面板４５のシュー開口部４１より一部が外部に臨まされる。これにより、スライドベース４６は、スライドカバー４４の開放時に塵埃等が機器本体２内に進入することを防止し、また機器本体２内に配設された基板等を遮蔽し、外部への露出を防止している。
【００３２】
また、スライドベース４６は、シューアダプタ４２が取り付けられる取付孔６５と、スライドカバー４４の開放方向に凹むことによりユーザの指先の挿入スペースとなる凹部６６と、スライドカバー４４をシュー開口部４１の開閉方向へスライド自在に支持する一対のガイド溝６７，６８とを有する。
【００３３】
取付孔６５は、シューアダプタ４２が取り付けられるとともに、スライドベース４６と上面板４５とが結合されることによりシュー開口部４１の内部に位置される。これにより、シュー開口部４１が開放されると、取付孔６５に取り付けられたシューアダプタ４２が外部に臨まされる。
【００３４】
取付孔６５は、機器本体２の背面２ｃ側に、背面２ｃ側に凹む凹部６６が連続して形成されている。この凹部６６は、スライドカバー４４をシュー開口部４１の開放方向へスライドさせる際にユーザの指先を進入させる開放操作用のスペースであり、球体の内面のごとく曲面を有して形成されている。また、図５（ａ）及び図８（ｂ）に示すように、凹部６６は、スライドベース４６と上面板４５とが結合されることにより、シュー開口部４１の背面２ｃ側の側縁より外方に臨まされている。さらに、凹部６６は、開放位置にスライドされたスライドカバー４４の前面２ａ側の側縁より前面２ａ側及び背面２ｃ側にかけて形成されている。
【００３５】
アクセサリシュー３９は、ユーザがスライドカバー４４の前面側に形成された突起部５７に指先を係止させて開放方向へスライドさせると、スライド途中からユーザの指先がシュー開口部４１内に進入し、スライドカバー４４の前面側の側面４４ａを押圧して開放位置へスライドさせることとなる。このとき、図８（ｂ）に示すように、アクセサリシュー３９は、スライドカバー４４を開放位置までスライドさせるユーザの指先の進入スペースが凹部６６によって設けられているため、取付孔６５の内壁等に指先が当接することなく、スライドカバー４４をシュー開口部４１の開放位置まで押し切ることができる。
【００３６】
なお、スライドベース４６は、ユーザの指先の進入スペースとして、取付孔６５を背面側に広げることなく、取付孔６５の背面側に設けた内壁に球面状の凹部６６を設けているため、スライドベース４６の強度も確保することができる。
【００３７】
スライドカバー４４のスライドをガイドする一対のガイド溝６７，６８は、スライドベース４６の両側に、それぞれスライド方向の前後に離間して設けられている。スライドベース４６の前面側に形成された第１のガイド溝６７は、スライドカバー４４の側壁５６，５６の前面側に突設された第１のガイド凸部６０が係合し、スライドベース４６の背面側に形成された第２のガイド溝６８は、スライドカバー４４の側壁５６，５６の背面側に突設された第２のガイド凸部６１が係合する。
【００３８】
各ガイド溝６７，６８は、スライドカバー４４を閉塞位置にスライドさせる第１の水平面部６７ａ，６８ａと、スライドカバー４４を開放位置にスライドさせる第２の水平面部６７ｂ，６８ｂと、第１の水平面部と第２の水平面部との間に形成される傾斜面部６７ｃ，６８ｃとを有する。そして、各ガイド溝６７，６８は、傾斜面部６７ｃ，６８ｃを介して第１の水平面部６７ａ，６８ａが第２の水平面部６７ｂ，６８ｂよりも上方に位置されている。すなわち、このガイド溝６７，６８にガイドされるスライドカバー４４は、シュー開口部４１の閉塞位置から開放位置にかけて下方に沈み込んでスライドされる。これにより、図１０に示すように、スライドカバー４４は、開放位置にスライドされると、下方に沈み込むことにより上面板４５の下側をスライドし（図１０（ａ））、閉塞位置へスライドされると機器本体２の上面２ｅ側へ上昇し、上面板４５と略面一となる（図１０（ｂ））。このようにスライドカバー４４が水平方向には移動しないことから、上面板４５は、スライドカバー４４のスライド領域を確保する必要が無く、機器本体２の上面２ｅを略平坦に形成することができる。
【００３９】
また、スライドカバー４４がシュー開口部４１の開放方向へスライドされると下方に沈み込むことから、スライドカバー４４の突起部５７に係止させたユーザの指先もシュー開口部４１内に進入することとなるが、上述したように、シュー開口部４１の背面側には凹部６６が設けられているため、ユーザは、指先の進入が阻害されることなく、スライドカバー４４の前面側の側面４４ａを押圧することで、容易にスライドカバー４４を開放位置まで押し切ることができる。
【００４０】
各ガイド溝６７，６８は、第１の水平面部６７ａ，６８ａが設けられた前端部に、ガイド凸部６０，６１が挿通される挿通部６９が開口されている。また第１のガイド溝６７は、第２の水平面部６７ｂの端部にスライドカバー４４の開放方向へのスライド位置を規制する規制壁７０が形成されている。
【００４１】
以上のようなアクセサリシュー３９は、マイクやストロボ等のアクセサリーが装着されていない状態では、スライドカバー４４が閉塞位置へスライドされている。このとき、図６（ａ）に示すように、スライドカバー４４は、ロック板金６２の係合凸部６３が上面板４５の摺動壁５２に形成された係合溝５３に係合することにより、閉塞位置に保持されている。また、図７（ａ）に示すように、スライドカバー４４は、ガイド凸部６０，６１が、スライドベース４６の第１、第２のガイド溝６７，６８の第１の水平面部６７ａ，６８ａにガイドされることにより上面板４５と略面一とされている。
【００４２】
アクセサリーを装着する際には、アクセサリシュー３９は、ユーザによって突起部５７に指先が係止され、スライドカバー４４が機器本体２の背面２ｃ側へスライドされる。図７（ｂ）に示すように、スライドカバー４４は、ガイド凸部６０，６１が、第１、第２のガイド溝６７，６８の傾斜面部６７ｃ，６８ｃを介して第２の水平面部６７ｂ，６８ｂへガイドされることにより、下方に沈み込み、上面板４５の裏面側へスライドされる。図８（ｂ）に示すように、このスライド途中で、スライドカバー４４は、突起部５７に係止されていたユーザの指先がシュー開口部４１内に進入し、前面側の側面４４ａが押圧されることによりスライドされる。したがって、スライドカバー４４は、ユーザの指先がシュー開口部４１の背面側に形成された凹部６６内に進入することにより、シュー開口部４１を開放する開放位置まで確実に押し切られることとなり、完全にシュー開口部４１を開放することができる。
【００４３】
図６（ｂ）に示すように、シュー開口部４１の開放位置において、スライドカバー４４は、ロック板金６２の係合凸部６３が上面板４５の摺動壁に形成された係合溝５３に係合することにより、開放位置に保持される。また、スライドカバー４４は、係合凸部６３が係合溝５３に係合することによりクリック感を付与し、ユーザに開放位置までスライドされたことを認識させることができる。
【００４４】
アクセサリシュー３９は、スライドカバー４４が開放位置へスライドされることにより、シュー開口部４１よりシューアダプタ４２が外方に臨まされ、アクセサリーが装着可能となる。なお、シューアダプタ４２は、端子部及び端子部を覆う端子カバーを備え、アクセサリーと導通されるいわゆるホットシューとして形成され、アクセサリー側の接続部が挿入されることにより端子カバーがスライドするとともに、端子同士が接続される。
【００４５】
アクセサリシュー３９は、アクセサリーの使用が終了し、シューアダプタ４２から取り外されると、開放位置にあるスライドカバー４４がスライドされて、シュー開口部４１が閉塞される。スライドカバー４４は、ユーザによって突起部５７に指先が係止され、機器本体の前面２ａ側にスライドされる。このとき、スライドカバー４４は、ユーザの指先を凹部６６内に進入させることができるため、図９に示すように、前面側の側面４４ａを例えば親指と人差し指で摘んで引き出すことで容易にスライドさせることもできる。
【００４６】
スライドカバー４４は、ガイド凸部６０，６１が、第１、第２のガイド溝６７，６８の傾斜面部６７ｃ，６８ｃを介して第１の水平面部６７ａ，６８ａへガイドされることにより、機器本体２の上面２ｅ側へ上昇し、シュー開口部４１を閉塞するとともに、上面板４５と略面一とされる（図７（ａ）、図１０（ｂ））。
【００４７】
シュー開口部４１の閉塞位置において、スライドカバー４４は、ロック板金６２の係合凸部６３が上面板４５の摺動壁５２に形成された係合溝５３に係合することにより、閉塞位置に保持される（図６（ａ））。また、スライドカバー４４は、係合凸部６３が係合溝５３に係合することによりクリック感を付与し、ユーザに閉塞位置までスライドされたことを認識させることができる。
【００４８】
このように、ビデオカメラ１のアクセサリシュー３９は、シュー開口部４１の背面側に、スライドカバー４４を開放位置へスライドさせるユーザの指先が進入する凹部６６が形成されているため、凹部６６に指先を進入させることでスライドカバー４４の側面４４ａを押圧することができ、容易にスライドカバー４４を開放位置まで押し切ることができ、確実にシュー開口部４１を開放させることができる。また、このアクセサリシュー３９は、トグルバネ等の付勢部材を用いることなくスライドカバー４４をシュー開口部４１の開閉位置あるいは閉塞位置までスライドさせることができる。したがって、ビデオカメラ１は、機器本体２の省スペース化による小型化、部品点数の削減及び組み立て工数の削減を図ることができる。
【００４９】
以上、本発明をビデオカメラに適用した場合を例に説明したが、本発明は、機器本体に開口部及びこの開口部を開閉するスライドカバーを備えたあらゆる電子機器に適用することができる。また、本発明は、上述したアクセサリシュー３９のシュー開口部４１以外にも、例えばメモリカードスロット４０のスロット開口部５１に適用することもでき、開口部内にシュー、メモリカード等のスロット、外部機器との接続端子、バッテリやメモリカードの収納部等いかなる構成を有しているかを問わず適用することができる。さらに、本発明は、携帯型電子機器、据置型電子機器のいずれにも適用することができる。
【００５０】
またさらに、本発明は、情報記録媒体としては、ハードディスクに限定されるものではなく、ＤＶカセットやアナログビデオカセットその他のテープ状記録媒体を用いることができることは勿論のこと、ＢＤ（Blu-ray Disc）ＤＶＤ（Digital Versatile Disc）やＣＤ−ＲＯＭその他の記録可能な光ディスク、光磁気ディスク、磁気ディスク等のようなディスク状記録媒体、更には、半導体記録媒体等のようなその他の記録媒体を適用することもできる。
【図面の簡単な説明】
【００５１】
【図１】本発明が適用されたビデオカメラを背面側から示す斜視図である。
【図２】本発明が適用されたビデオカメラの表示パネルが回動された状態を示す斜視図である。
【図３】本発明が適用されたアクセサリシューのシュー開口部が開放されたビデオカメラを示す斜視図である。
【図４】アクセサリシューの分解斜視図である。
【図５】（ａ）はアクセサリシューを示す平面図、（ｂ）はアクセサリシューの側面図である。
【図６】アクセサリシューの断面図であり、（ａ）はスライドカバーがシュー開口部の閉塞位置へスライドされた状態を示し、（ｂ）はスライドカバーがシュー開口部の開放位置へスライドされた状態を示す。
【図７】アクセサリシューの断面図であり、（ａ）はスライドカバーがシュー開口部の閉塞位置へスライドされた状態を示し、（ｂ）はスライドカバーがシュー開口部の開放位置へスライドされた状態を示す。
【図８】アクセサリシューの断面図であり、（ａ）はスライドカバーがシュー開口部の閉塞位置へスライドされた状態を示し、（ｂ）はスライドカバーがシュー開口部の開放位置へスライドされた状態を示す。
【図９】シュー開口部の開放位置へスライドされたスライドカバーを引き出す状態を示す断面図である。
【図１０】アクセサリシューの断面図であり、（ａ）はスライドカバーがシュー開口部の開放位置へスライドされた状態を示し、（ｂ）はスライドカバーがシュー開口部の閉塞位置へスライドされた状態を示す。
【符号の説明】
【００５２】
１  ビデオカメラ、２  機器本体、３  表示パネル、３９  アクセサリシュー、４１  シュー開口部、４２  シューアダプタ、４４  スライドカバー、４５  上面板、４６  スライドベース、５２  摺動壁、５３  係合溝、５５  カバー部、５６  側壁、５７  突起部、５８  傾斜面部、５９  スリット、６０，６１  ガイド凸部、６２  ロック板金、６３  係合凸部、６５  取付孔、６６  凹部、６７，６８  ガイド溝、
【図１】
2009162890.tif 000003
【図２】
2009162890.tif 000004
【図３】
2009162890.tif 000005
【図４】
2009162890.tif 000006
【図５】
2009162890.tif 000007
【図６】
2009162890.tif 000008
【図７】
2009162890.tif 000009
【図８】
2009162890.tif 000010
【図９】
2009162890.tif 000011
【図１０】
2009162890.tif 000012